(57)【要約】【課題】除霜終了前及び除霜終了後にドレン水に逆方向の風を与えることにより、室外機の内部にドレン水が溜まらないようにすることを目的とする。【解決手段】正方向及び逆方向に回転するファンと、前記ファンの正回転状態における風上側に設けられた熱交換器と、前記熱交換器に霜が付着した場合に、前記霜を融解させる除霜運転を開始させると共に、前記除霜運転終了前及び前記除霜運転終了後に、前記ファンを逆回転するように制御する制御部と、を含むことを特徴とする。【選択図】図５
2019219129.tif 000002
【特許請求の範囲】
【請求項１】
正方向及び逆方向に回転するファンと、
前記ファンの正回転状態における風上側に設けられた熱交換器と、
前記熱交換器に霜が付着した場合に、前記霜を融解させる除霜運転を開始させると共に、前記除霜運転終了前及び前記除霜運転終了後に、前記ファンを逆回転するように制御する制御部と、
を含む空気調和装置。
【請求項２】
前記制御部は、前記除霜運転開始から第１所定時間が経過した時から、前記除霜運転終了から第２所定時間が経過するまでの間、前記ファンを逆回転するように制御する請求項１記載の空気調和装置。
【請求項３】
前記空気調和装置は、更に、
前記熱交換器の温度を検出する熱交換器温度センサを含み、
前記制御部は、前記熱交換器温度センサが検出した温度が第１所定温度以上になった時から、前記除霜運転終了から第２所定時間が経過するまでの間、前記ファンを逆回転するように制御する請求項１記載の空気調和装置。
【請求項４】
前記第１所定温度が０℃〜１０℃である請求項３記載の空気調和装置。
【請求項５】
前記空気調和装置は、更に、
外気温度を検出する外気温度センサを含み、
前記制御部は、前記除霜運転開始から第１所定時間が経過した時、又は前記熱交換器温度センサが検出した温度が第１所定温度以上になった時、かつ、前記外気温度センサが検出した温度が第２所定温度未満である時に、前記除霜運転終了から第２所定時間が経過するまでの間、前記ファンを逆回転するように制御する請求項１記載の空気調和装置。
【請求項６】
前記第２所定温度が０℃である請求項４記載の空気調和装置。
【請求項７】
前記制御部が前記ファンを逆回転する時間が、前記除霜運転終了前の時間が前記除霜運転終了後の時間よりも長い請求項１記載の空気調和装置。
【請求項８】
正方向及び逆方向に回転するファンと、
前記ファンの正回転状態における風上側に設けられた熱交換器と、
を含む空気調和装置の制御方法において、
前記熱交換器に霜が付着した場合に、前記霜を融解させる除霜運転を行わせると共に、前記除霜運転終了前及び前記除霜運転終了後に、前記ファンを逆回転させる空気調和装置の制御方法。
【発明の詳細な説明】
【技術分野】
【０００１】
本発明は、空気調和装置に関する。
【背景技術】
【０００２】
空気調和装置では、室外機に設けられた熱交換器の着霜が懸念される運転状態においては、一時的に冷房運転を行って除霜を行うのが一般的である（リバース除霜）。リバース除霜中、熱交換器に付着していた霜は高温の冷媒ガスの熱により溶かされて水(以下、ドレン水ともいう)となり、底板（以下、ドレンパンともいう）に設けられた孔部から室外機の外へ排出される。この除霜の際には、熱交換器に供給される高温の冷媒ガスの熱が外気に奪われないようにするため、ファンを停止させておく技術が知られている（例えば、特許文献１）。
【先行技術文献】
【特許文献】
【０００３】
【特許文献１】特開昭６３−１８３３３５号公報
【発明の概要】
【発明が解決しようとする課題】
【０００４】
しかしながら、除霜運転により発生したドレン水が底板に設けられた孔部からうまく排出されなかった場合、暖房運転の再開により動き出したファンの通常方向の風の流れにより、ドレンパンの上に溜まったドレン水が孔部の方向と反対方向に流されてしまい、室外機の内部に溜まってしまう場合があった。
【０００５】
かかる課題に鑑みて、従来技術に比較して本発明は、例えば、除霜終了前及び除霜終了後にドレン水に逆方向の風を与えることにより、室外機の内部に溜まったドレン水が孔部やドレンパン背面（風上側）から排出することを促進し、室外機の内部にドレン水がより溜まらないようにすることを目的とする。
【課題を解決するための手段】
【０００６】
本発明の空気調和装置は、正方向及び逆方向に回転するファンと、前記ファンの正回転状態における風上側に設けられた熱交換器と、前記熱交換器に霜が付着した場合に、前記霜を融解させる除霜運転を開始させると共に、前記除霜運転終了前及び前記除霜運転終了後に、前記ファンを逆回転するように制御する制御部と、を含むことを特徴とする。
【０００７】
本発明の空気調和装置の制御方法は、正方向及び逆方向に回転するファンと、前記ファンの正回転状態における風上側に設けられた熱交換器と、を含む空気調和装置の制御方法において、前記熱交換器に霜が付着した場合に、前記霜を融解させる除霜運転を開始させると共に、前記除霜運転終了前及び前記除霜運転終了後に、前記ファンを逆回転させることを特徴とする。
【図面の簡単な説明】
【０００８】
【図１】本発明の実施形態に係る空気調和装置の構成図である。
【図２】図１の空気調和装置の制御部の構成を示すブロック図である。
【図３】図１の空気調和装置の室外機の内部を示す斜視図である。
【図４】図１の空気調和装置の室外機の底板を示す斜視図である。
【図５】本発明の実施の形態１のフローの一例を示す図である。
【図６】本発明の実施の形態１のタイムチャートの一例を示す図である。
【図７】本発明の実施の形態２のフローの一例を示す図である。
【図８】本発明の実施の形態２のタイムチャートの一例を示す図である。
【図９】本発明の実施の形態３のフローの一例を示す図である。
【図１０】本発明の実施の形態３のタイムチャートの一例を示す図である。
【発明を実施するための形態】
【０００９】
以下、本発明の実施形態について、図面を参照しつつ説明する。なお、本明細書及び図面において、同一又は同等の要素には同一の符号を付することにより重複する説明は省略し、また、本発明に直接関係のない要素は図示を省略する場合がある。さらに、かかる実施の形態に示す構成要素の形態はあくまでも例示であって、これらの形態に限定されるものではない。
【００１０】
図１は、本発明の一実施形態に係る空気調和装置の構成図である。空気調和装置１は、室外機２と室内機３とを含み、配管４を通じて冷媒の流出入が可能なように互いに接続されている。室外機２側の配管４と室内機３側の配管４とは、二方弁４ａ及び三方弁４ｂを介して互いに接続されている。室外機２は、圧縮機１１、四方弁１２、室外熱交換器１３、膨張弁１４、室外ファン１５を含み、室内機３は、室内熱交換器１６、室内ファン１７を含む。室外ファン１５は、室外ファン１５を正回転方向及び逆回転方向に駆動させるファンモータ１５ａ（図３）を備える。
【００１１】
図１において、点線矢印は暖房運転時に冷媒が流れる方向を示し、実線矢印は除霜運転時に冷媒が流れる方向を示している。暖房運転時において、冷媒は、圧縮機１１、四方弁１２、室内熱交換器１６、膨張弁１４、室外熱交換器１３、四方弁１２の順に流れ、再び圧縮機１１に戻る。除霜運転時において、冷媒は、圧縮機１１、四方弁１２、室外熱交換器１３、膨張弁１４、室内熱交換器１６、四方弁１２の順に流れ、再び圧縮機１１に戻る。
【００１２】
以上の構成の他に、室外機２は、室外熱交換器１３の温度を検出する熱交換器温度センサ１８、外気温度を検出する外気温度センサ１９を含む。両センサは、例えばサーミスタで構成される。また、室外機２は、両センサによって検出された温度等に基づいてファンモータ１５ａ等を制御する制御部１００を含む。
【００１３】
図２は、図１の空気調和装置の制御部の構成を示すブロック図である。制御部１００は、例えばマイコンによって構成され、演算部１０１、記憶部１０２、通信部１０３、センサ入力部１０４、タイマー１０５を含む。演算部１０１は、例えばＭＰＵやＣＰＵで構成される。
【００１４】
記憶部１０２は、ＲＯＭやＲＡＭで構成され、室外機２の制御プログラム、熱交換器温度センサ１８及び外気温度センサ１８を含む各種センサからの検出信号に対応した検出値、空調運転に関する設定情報等を記憶する。通信部１０３は、演算部１０１からの指令を受け、圧縮機１１、四方弁１２、膨張弁１４、室外ファン１５等の外部機器を駆動制御するための信号を送受信する。この通信は有線であっても無線であってもよい。センサ入力部１０４は、熱交換器温度センサ１８及び外気温度センサ１８を含む各種センサからの検出信号を取り込み、デジタルデータに変換して検出値として演算部１０１に出力する。タイマー１０５は、計測機能を有しており、除霜運転を開始してからの経過時間、除霜運転を終了してからの経過時間等を計測する。なお、上記構成は一例であって、これに限定されるものではない。制御部１００は、室外熱交換器１３に霜が付着した場合に、この霜を融解させる除霜運転を行わせると共に、この除霜運転終了前及び除霜運転終了後に、室外ファン１５を逆回転するように制御する。なお、制御部１００の詳細については、図５を用いて説明する。
【００１５】
図３は、図１の空気調和装置の室外機の内部を示す斜視図である。なお、本明細書中の説明では、図３に示す座標軸に従って、室外機２の左右、前後、上下の各方向を指示する。各部品の方向も図３に示す座標軸に従って説明する。
【００１６】
図３に示すように、室外機２は、圧縮機１１等が設けられている機械室２１と、室外熱交換器１３、室外ファン１５、ファンモータ１５ａ等が設けられているファン室２２とから構成されている。機械室２１とファン室２２とは、セパレータ２３によって隔てられている。
【００１７】
室外熱交換器１３は、室外機２の左側面から背面にかけて、室外機２の周縁に沿って設けられている。室外ファン１５は、室外熱交換器１３よりも前方に設けられており、正逆回転可能なモータ１５ａを備える。室外ファン１５は、正回転時においては、室外機２の背面側から室外機２の内部に外気を取り込み、室外機２の正面側から外気を放出する。したがって、室外ファン１５による外気の流れ方向において、正回転時では、室外機２の背面側が風上側となり、正面側が風下側となる。これに対し、逆回転時ではこの逆となり、室外機２の正面側が風上側となり、背面側が風下側となる。なお、本明細書中の説明で、風上又は風下の語を用いることがあるが、この場合の風上又は風下は、正回転時における意味で用いる。
【００１８】
図４は、図１の空気調和装置の室外機の底板を示す斜視図である。室外機２の底板は、室外熱交換器１３から滴下したドレン水を受けるドレンパン２４を構成する。ドレンパン２４には、複数の孔部２５が、室外機２の左側面から背面にかけて、室外機２の周縁に沿って設けられている。すなわち、各孔部２５は、室外熱交換器１３の下方に設けられている。室外熱交換器１３からドレンパン２４上に滴下したドレン水は、この孔部２５を通じて室外機２の外部へ排出される。
【００１９】
次に、本発明の実施の形態１の処理の流れについて説明する。
【００２０】
図５は、本発明の実施の形態１のフローの一例を示す図である。図５は、暖房運転中に室外熱交換器１３の着霜が検出されたため除霜運転に切り替えられ、その後、暖房運転が再開されるまでの手順を示している。図６は、本発明の実施の形態１のタイムチャートの一例を示す図である。図６は、横軸に空気調和装置１の運転時間を示し、縦軸に、上段は圧縮機１１の回転数を示し、下段は室外ファン１５の回転数を示している。なお、以下の説明中で、例えば、（ｔ１）の記載は図６の横軸上のｔ１の時点を示し、（ｔ１−ｔ２）の記載は図６の横軸上のｔ１からｔ２までの時間を示している。
【００２１】
ステップＳ１０１において、制御部１００は、室外熱交換器１３が着霜したか否かを判定する。具体的には、熱交換器温度センサ１８の検出値が、外気温度センサ１９の検出値に基づいて予め設定された基準値以下である状態が、所定時間（例えば２分間）持続したか否かを判定する。制御部１００は、熱交換器温度センサ１８の検出値が基準値以下である状態が所定時間持続したと判定したときはステップＳ１０２に進み、熱交換器温度センサ１８の検出値が基準値以下である状態が所定時間持続していないと判定したときはステップＳ１０１の判定処理を再度行う。なお、上記判定方法は、室外熱交換器１３が着霜したか否かを判定する方法の一例であって、これに限定されるものではない。
【００２２】
ステップＳ１０２において、制御部１００は、除霜運転を開始する。具体的には、制御部１００は、一旦圧縮機１１を停止させて四方弁１２を切り替える（ｔ１）。このとき、制御部１００は、正回転していた室外ファン１５の回転を停止させる（ｔ１）。そして、制御部１００は、四方弁１２に切り替え指示を与えた後、圧縮機１１を再起動させる（ｔ２）。除霜運転を開始すると、制御部１００は、除霜運転開始時点（ｔ２）からの経過時間をカウントする。
【００２３】
ステップＳ１０３において、制御部１００は、除霜運転開始時点（ｔ２）から第１所定時間を経過したか否かを判定する。第１所定時間は、室外熱交換器１３に付着した霜が融解して水に変化する時間として、予め実験を行うなどして設定された時間であり、例えば１分である。制御部１００は、除霜運転を開始してから第１所定時間を経過したと判定したときはステップＳ１０４に進み、経過していないと判定したときはステップＳ１０３の判定処理を再度行う。
【００２４】
ステップＳ１０４において、制御部１００は、回転を停止していた室外ファン１５を、逆回転させる（ｔ３）。
【００２５】
ステップＳ１０５において、制御部１００は、室外熱交換器１３に付着した霜が除去された否かを判定する。具体的には、熱交換器温度センサ１８の検出値が、予め設定された除霜終了温度以上であるか否かを判定する。この除霜終了温度は、室外熱交換器１３に付着した霜が融解して除去される温度として、予め実験を行うなどして設定された温度であり、例えば１０℃である。制御部１００は、熱交換器温度センサ１８の検出値が除霜終了温度以上であると判定したときはステップＳ１０６に進み、熱交換器温度センサ１８の検出値が除霜終了温度未満であると判定したときはステップＳ１０５の判定処理を再度行う。
【００２６】
ステップＳ１０６において、制御部１００は、除霜運転を終了させる。具体的には、制御部１００は、一旦圧縮機１１を停止させて四方弁１２を切り替える（ｔ４）。このとき、逆回転している室外ファン１５は、そのまま逆回転を継続する。除霜運転を終了すると、制御部１００は、除霜運転終了時点（ｔ４）からの経過時間をカウントする。
【００２７】
ステップＳ１０７において、制御部１００は、除霜運転終了時点（ｔ４）から第２所定時間を経過したか否かを判定する。第２所定時間は、除霜運転中に室外機２の外部へ排出されずに除霜終了後まで室外機２の内部に残存するドレン水に対して、室外機２の外部へ排出すべく、室外ファン１５の逆方向の送風を与え続けるのに適した時間として、予め実験を行うなどして設定された時間であり、例えば１分である。制御部１００は、除霜運転を終了してから第２所定時間を経過したと判定したときはステップＳ１０８に進み、経過していないと判定したときはステップＳ１０７の判定処理を再度行う。
【００２８】
ステップＳ１０８において、制御部１００は、逆回転していた室外ファン１５の回転を停止させる（ｔ５）。その後、制御部１００は、四方弁１２に切り替え指示を与えた後、圧縮機１１を再起動させると共に室外ファン１５を正回転させて（ｔ６）、ステップＳ１０１に戻る。
【００２９】
本実施形態は、室外ファン１５を逆回転させる時点を、除霜運転開始時からの経過時間に基づいて設定するものである。これにより、除霜による融解開始当初に発生したドレン水から除霜終了後に発生したドレン水に至るまで、室外ファン１５の逆方向の風を与えることができるので、室外機２の内部にドレン水が溜まらないようにすることができる。
【００３０】
次に、本発明の実施の形態２の処理の流れについて説明する。
【００３１】
図７は、本発明の実施の形態２のフローの一例を示す図である。図７は、暖房運転中に室外熱交換器１３の着霜が検出されたため除霜運転に切り替えられ、その後、暖房運転が再開されるまでの手順を示している。図８は、本発明の実施の形態２のタイムチャートの一例を示す図である。図８は、横軸に空気調和装置１の運転時間を示し、縦軸に、上段は圧縮機１１の回転数を示し、中段は室外ファン１５の回転数を示し、下段は熱交換器温度センサ１８の検出値を示している。なお、以下の説明中で、例えば、（ｔ１）の記載は図８の横軸上のｔ１の時点を示し、（ｔ１−ｔ２）の記載は図８の横軸上のｔ１からｔ２までの時間を示している。
【００３２】
ステップＳ１０１と同様に、ステップＳ２０１において、制御部１００は、室外熱交換器１３が着霜したか否かを判定する。具体的には、熱交換器温度センサ１８の検出値が、外気温度センサ１９の検出値に基づいて予め設定された基準値以下である状態が、所定時間（例えば２分間）持続したか否かを判定する。制御部１００は、熱交換器温度センサ１８の検出値が基準値以下である状態が所定時間持続したと判定したときはステップＳ２０２に進み、熱交換器温度センサ１８の検出値が基準値以下である状態が所定時間持続していないと判定したときはステップＳ２０１の判定処理を再度行う。なお、上記判定方法は、室外熱交換器１３が着霜したか否かを判定する方法の一例であって、これに限定されるものではない。
【００３３】
ステップＳ１０２と同様に、ステップＳ２０２において、制御部１００は、除霜運転を開始する。具体的には、制御部１００は、一旦圧縮機１１を停止させて四方弁１２を切り替える（ｔ１）。このとき、制御部１００は、正回転していた室外ファン１５の回転を停止させる（ｔ１）。そして、制御部１００は、四方弁１２に切り替え指示を与えた後、圧縮機１１を再起動させる（ｔ２）。除霜運転を開始すると、制御部１００は、除霜運転開始時点（ｔ２）からの経過時間をカウントする。
【００３４】
ステップＳ１０３と異なり、ステップＳ２０３において、制御部１００は、熱交換器温度センサ１８の検出値が、第１所定温度以上であるか否かを判定する。第１所定温度は、室外熱交換器１３に付着した霜がドレン水に変化する温度として、予め実験を行うなどして設定された温度であり、０℃〜１０℃の範囲内で例えば５℃である。制御部１００は、熱交換器温度センサ１８の検出値が第１所定温度以上であると判定したときはステップＳ２０４に進み、第１所定温度未満であると判定したときはステップＳ２０３の判定処理を再度行う。
【００３５】
ステップＳ１０４と同様に、ステップＳ２０４において、制御部１００は、回転を停止していた室外ファン１５を、逆回転させる（ｔ３）。
【００３６】
ステップＳ１０５と同様に、ステップＳ２０５において、制御部１００は、室外熱交換器１３に付着した霜が除去された否かを判定する。具体的には、熱交換器温度センサ１８の検出値が、予め設定された除霜終了温度以上であるか否かを判定する。この除霜終了温度は、室外熱交換器１３に付着した霜が融解して除去される温度として、予め実験を行うなどして設定された温度であり、例えば１０℃である。制御部１００は、熱交換器温度センサ１８の検出値が除霜終了温度以上であると判定したときはステップＳ２０６に進み、熱交換器温度センサ１８の検出値が除霜終了温度未満であると判定したときはステップＳ２０５の判定処理を再度行う。
【００３７】
ステップＳ１０６と同様に、ステップＳ２０６において、制御部１００は、除霜運転を終了させる。具体的には、制御部１００は、一旦圧縮機１１を停止させて四方弁１２を切り替える（ｔ４）。このとき、逆回転している室外ファン１５は、そのまま逆回転を継続する。除霜運転を終了すると、制御部１００は、除霜運転終了時点（ｔ４）からの経過時間をカウントする。
【００３８】
ステップＳ１０７と同様に、ステップＳ２０７において、制御部１００は、除霜運転終了時点（ｔ４）から第２所定時間を経過したか否かを判定する。第２所定時間は、除霜運転中に室外機２の外部へ排出されずに除霜終了後まで室外機２の内部に残存するドレン水に対して、室外機２の外部へ排出すべく、室外ファン１５の逆方向の送風を与え続けるのに適した時間として、予め実験を行うなどして設定された時間であり、例えば１分である。制御部１００は、除霜運転を終了してから第２所定時間を経過したと判定したときはステップＳ２０８に進み、経過していないと判定したときはステップＳ２０７の判定処理を再度行う。
【００３９】
ステップＳ１０８と同様に、ステップＳ２０８において、制御部１００は、逆回転していた室外ファン１５の回転を停止させる（ｔ５）。その後、制御部１００は、四方弁１２に切り替え指示を与えた後、圧縮機１１を再起動させると共に室外ファン１５を正回転させて（ｔ６）、ステップＳ２０１に戻る。
【００４０】
本実施形態は、室外ファン１５を逆回転させる時点を、熱交換器温度センサ１８の検出値に基づいて設定するものである。これにより、除霜による融解開始当初に発生したドレン水から除霜終了後に発生したドレン水に至るまで、室外ファン１５の逆方向の風を与えることができるので、室外機２の内部にドレン水が溜まらないようにすることができる。
【００４１】
次に、本発明の実施の形態３の処理の流れについて説明する。
【００４２】
図９は、本発明の実施の形態３のフローの一例を示す図である。図９は、暖房運転中に室外熱交換器１３の着霜が検出されたため除霜運転に切り替えられ、その後、暖房運転が再開されるまでの手順を示している。図１０は、本発明の実施の形態３のタイムチャートの一例を示しており、（ａ）が外気温０℃未満の場合の図であり、（ｂ）が外気温０℃以上の場合の図である。図１０は、横軸に空気調和装置１の運転時間を示し、縦軸に、上段は圧縮機１１の回転数を示し、中段は室外ファン１５の回転数を示し、下段は外気温度センサ１９の検出値を示している。なお、以下の説明中で、例えば、（ｔ１）の記載は図１０の横軸上のｔ１の時点を示し、（ｔ１−ｔ２）の記載は図８の横軸上のｔ１からｔ２までの時間を示している。
【００４３】
ステップＳ１０１と同様に、ステップＳ３０１において、制御部１００は、室外熱交換器１３が着霜したか否かを判定する。具体的には、熱交換器温度センサ１８の検出値が、外気温度センサ１９の検出値に基づいて予め設定された基準値以下である状態が、所定時間（例えば２分間）持続したか否かを判定する。制御部１００は、熱交換器温度センサ１８の検出値が基準値以下である状態が所定時間持続したと判定したときはステップＳ３０２に進み、熱交換器温度センサ１８の検出値が基準値以下である状態が所定時間持続していないと判定したときはステップＳ３０１の判定処理を再度行う。なお、上記判定方法は、室外熱交換器１３が着霜したか否かを判定する方法の一例であって、これに限定されるものではない。
【００４４】
ステップＳ１０２と同様に、ステップＳ３０２において、制御部１００は、除霜運転を開始する。具体的には、制御部１００は、一旦圧縮機１１を停止させて四方弁１２を切り替える（ｔ１、ｔ７）。このとき、制御部１００は、正回転していた室外ファン１５の回転を停止させる（ｔ１、ｔ７）。そして、制御部１００は、四方弁１２に切り替え指示を与えた後、圧縮機１１を再起動させる（ｔ２、ｔ８）。除霜運転を開始すると、制御部１００は、除霜運転開始時点（ｔ２、ｔ８）からの経過時間をカウントする。
【００４５】
ステップＳ１０３と異なり、ステップＳ３０３において、制御部１００は、除霜運転開始時点（ｔ２、ｔ８）から第１所定時間を経過したか否か、又は、熱交換器温度センサ１８の検出値が、第１所定温度以上であるか否かを判定する。第１所定時間は、室外熱交換器１３に付着した霜が融解して水に変化する時間として、予め実験を行うなどして設定された時間であり、例えば６分である。第１所定温度は、室外熱交換器１３に付着した霜がドレン水に変化する温度として、予め実験を行うなどして設定された温度であり、０℃〜１０℃の範囲内で例えば５℃である。制御部１００は、除霜運転を開始してから第１所定時間を経過した、又は熱交換器温度センサ１８の検出値が第１所定温度以上である、と判定したときはステップＳ３０４に進み、除霜運転を開始してから第１所定時間を経過していない、かつ熱交換器温度センサ１８の検出値が第１所定温度未満である、と判定したときはステップＳ３０３の判定処理を再度行う。
【００４６】
ステップＳ３０４において、制御部１００は、外気温度センサ１９の検出値が、第２所定温度未満であるか否かを判定する。第２所定温度は、室外機２が据え付けられる場所の環境等に基づき、ドレン水が氷になる温度として、予め実験を行うなどして設定された温度であり、例えば０℃である。制御部１００は、外気温度センサ１９の検出値が第２所定温度未満であると判定したときはステップＳ３０５に進み、第２所定温度以上であると判定したときはステップＳ３１０に進む。
【００４７】
以下Ｓ３０５〜Ｓ３０９の説明は、外気温が０℃未満の場合のフローの説明である。
【００４８】
ステップＳ１０４と同様に、ステップＳ３０５において、制御部１００は、回転を停止していた室外ファン１５を、逆回転させる（ｔ３）。
【００４９】
ステップＳ１０５と同様に、ステップＳ３０６において、制御部１００は、室外熱交換器１３に付着した霜が除去されたか否かを判定する。具体的には、熱交換器温度センサ１８の検出値が、予め設定された除霜終了温度以上であるか否かを判定する。この除霜終了温度は、室外熱交換器１３に付着した霜が融解して除去される温度として、予め実験を行うなどして設定された温度であり、例えば１０℃である。制御部１００は、熱交換器温度センサ１８の検出値が除霜終了温度以上であると判定したときはステップＳ３０７に進み、熱交換器温度センサ１８の検出値が除霜終了温度未満であると判定したときはステップＳ３０６の判定処理を再度行う。
【００５０】
ステップＳ１０６と同様に、ステップＳ３０７において、制御部１００は、除霜運転を終了させる。具体的には、制御部１００は、一旦圧縮機１１を停止させて四方弁１２を切り替える（ｔ４）。このとき、逆回転している室外ファン１５は、そのまま逆回転を継続する。除霜運転を終了すると、制御部１００は、除霜運転を終了した時点（ｔ４）からの経過時間をカウントする。
【００５１】
ステップＳ１０７と同様に、ステップＳ３０８において、制御部１００は、除霜運転終了時点（ｔ４）から第２所定時間を経過したか否かを判定する。第２所定時間は、除霜運転中に室外機２の外部へ排出されずに除霜終了後まで室外機２の内部に残存するドレン水に対して、室外機２の外部へ排出すべく、室外ファン１５の逆方向の送風を与え続けるのに適した時間として、予め実験を行うなどして設定された時間であり、例えば１分である。制御部１００は、除霜運転を終了してから第１所定時間を経過したと判定したときはステップＳ３０９に進み、経過していないと判定したときはステップＳ３０８の判定処理を再度行う。
【００５２】
ステップＳ１０８と同様に、ステップＳ３０９において、制御部１００は、逆回転していた室外ファン１５の回転を停止させる（ｔ５）。その後、制御部１００は、四方弁１２に切り替え指示を与えた後、圧縮機１１を再起動させると共に室外ファン１５を正回転させて（ｔ６）、ステップＳ３０１に戻る。
【００５３】
本実施形態によれば、外気温が０℃未満であり、室外機の内部で溜まり凍ったドレン水が蓄積を重ね、上昇した氷面が室外ファンの羽根と接触して室外ファンが破損するおそれがある場合において、除霜による融解開始当初に発生したドレン水から除霜終了後に発生したドレン水に至るまで、室外ファン１５の逆方向の風を与えることができるので、室外機２の内部にドレン水が溜まらないようにすることができる。
【００５４】
以下Ｓ３１０〜Ｓ３１１の説明は、外気温が０℃以上の場合のフローの説明である。
【００５５】
ステップＳ１０５と同様に、ステップＳ３１０において、制御部１００は、室外熱交換器１３に付着した霜が除去された否かを判定する。具体的には、熱交換器温度センサ１８の検出値が、予め設定された除霜終了温度以上であるか否かを判定する。この除霜終了温度は、室外熱交換器１３に付着した霜が融解して除去される温度として、予め実験を行うなどして設定された温度であり、例えば１０℃である。制御部１００は、熱交換器温度センサ１８の検出値が除霜終了温度以上であると判定したときはステップＳ３１１に進み、熱交換器温度センサ１８の検出値が除霜終了温度未満であると判定したときはステップＳ３１０の判定処理を再度行う。
【００５６】
ステップＳ１０６と異なり、ステップＳ３１１において、制御部１００は、除霜運転を終了させる。具体的には、制御部１００は、一旦圧縮機１１を停止させて四方弁１２を切り替える（ｔ９）。その後、制御部１００は、四方弁１２に切り替え指示を与えた後、圧縮機１１を再起動させると共に室外ファン１５を正回転させて（ｔ１０）、ステップＳ３０１に戻る。
【００５７】
本実施の形態によれば、外気温が０℃以上であり、室外機の内部に溜まったドレン水が凍らない場合において、室外ファンの運転による電力の消費を抑制することができる。
【００５８】
本発明は、上記実施の形態に限定されるものではなく、上記実施の形態で示した構成と実質的に同一の構成、同一の作用効果を奏する構成又は同一の目的を達することができる構成で置き換えてもよい。例えば、室外機の背面側の側面に外部との隙間を設けてもよい。これにより、室外機の下面に有する孔部と側面に有する隙間の両方からドレン水が排出されるようになり、室外機の内部にドレン水が溜まりにくくなる。また、室外機の内部に下向きのルーバー（羽板）のような構造物を設けてもよい。これにより、室外ファンより下方に存するドレン水に対して室外ファンの風を直接向けることができるようになるので、ドレン水が排出されやすくなり、室外機の内部にドレン水が溜まりにくくなる。また、室外機の内部にドレン水を上記孔部又は隙間に導くためのガイド溝、傾斜面等の誘導手段を設けてもよい。これにより、ドレン水が上記孔部又は隙間から排出されやすくなり、室外機の内部にドレン水が溜まりにくくなる。
【符号の説明】
【００５９】
１  空気調和装置、２  室外機、３  室内機、４  配管、４ａ  二方弁、４ｂ  三方弁、１１  圧縮機、１２  四方弁、１３  室外熱交換器、１４  膨張弁、１５  室外ファン、１５ａ  ファンモータ、１６  室内熱交換器、１７  室内ファン、１８  熱交換器温度センサ、１９  外気温度センサ、２１  機械室、２２  ファン室、２３  セパレータ、２４  ドレンパン、２５  孔部、１００  制御部、１０１  演算部、１０２  記憶部、１０３  通信、１０４  センサ入力部、１０５  タイマー。
【図１】
2019219129.tif 000003
【図２】
2019219129.tif 000004
【図３】
2019219129.tif 000005
【図４】
2019219129.tif 000006
【図５】
2019219129.tif 000007
【図６】
2019219129.tif 000008
【図７】
2019219129.tif 000009
【図８】
2019219129.tif 000010
【図９】
2019219129.tif 000011
【図１０】
2019219129.tif 000012